(57)【要約】      （修正有）【課題】物品の下の設置面の掃除が行い易い載置台を提供する。【解決手段】前側キャスタ及び後側キャスタにより移動可能にされた冷蔵庫などの物品の後側キャスタを載置する載置台１０であって、後側キャスタを載置する縦断面略台形状の載置部２０と、載置部２０に隣接して後側キャスタを載置部２０に向けて移動させる傾斜面３０ａを有するキャスタ移動部３０とを有しており、載置部２０とキャスタ移動部３０とが着脱自在に構成されている。【選択図】図１
0003205499.tif 000002
【実用新案登録請求の範囲】
【請求項１】
キャスタにより移動可能にされたキャスタ付物品の前記キャスタを載置する載置台であって、
前記キャスタを載置する縦断面略台形状の載置部と、前記載置部に隣接して前記キャスタを前記載置部に向けて移動させる傾斜面を有するキャスタ移動部とを有しており、
前記載置部と前記キャスタ移動部とが着脱自在に構成されていることを特徴とする載置台。
【請求項２】
前記載置部に設けられた第１係合部と前記キャスタ移動部に設けられた第２係合部とを係合することで前記載置部に前記キャスタ移動部を取り付けるように構成されており、
前記第１係合部と前記第２係合部とは、嵌め込みにより係合するように構成されていることを特徴とする請求項１に記載の載置台。
【請求項３】
前記載置部の前記底面及び前記キャスタ移動部の前記底面には、滑り止め部が設けられていることを特徴とする請求項１又は２に記載の載置台。
【請求項４】
前記載置部の上面には、前記キャスタ移動部側に、周囲から中央に向けて落ち込む段差部を有しており、前記キャスタ移動部側以外の周囲に、前記段差部の上段より上方に突出した壁部を有していることを特徴とする請求項１乃至３の何れか１項に記載の載置台。
【請求項５】
前記キャスタ移動部の内部は、上面から前記底面に掛けて形成されたリブを有するように構成されていることを特徴とする請求項１乃至４の何れか１項に記載の載置台。
【考案の詳細な説明】
【技術分野】
【０００１】
この考案は、物品を載置する載置台であって、特にキャスタ付物品のキャスタを載置する載置台に関するものである。
【背景技術】
【０００２】
従来、冷蔵庫等の重量のある物品を載置する載置台が提案されている（例えば、特許文献１参照）。この載置台は、当該物品の移動用に底面等に取り付けられているキャスタを載せることで、物品が動かないように保持できるようになっている。また、当該キャスタを用いて物品を移動させて、キャスタを載置台にスムーズに載せることができるように、物品の設置面（床面）から傾斜して載置台の上面に続くスロープが設けられている。
【先行技術文献】
【特許文献】
【０００３】
【特許文献１】実用新案登録第３１５２６１０号公報
【考案の概要】
【考案が解決しようとする課題】
【０００４】
これに対し、冷蔵庫等の物品の下の設置面の掃除を行いたいという要望があった。しかしながら、前記したような従来の載置台では、その高さが低いため、設置面と物品の底面との間に掃除機のノズルや掃除用ワイパー等の掃除用具を挿入することができなかった。
【０００５】
ここで、載置台をもっと高くして設置面と物品の底面との間に掃除用具を挿入できる等の効果が生じるようにした場合、キャスタをスムーズに設置面から載置台の上面に移動させるために、スロープの傾斜が急にならないようにスロープを長くする必要があった。そのため、物品の下の設置面の掃除をしようとしても、結局、キャスタを載置した載置台にスロープを有しているため、当該スロープが邪魔になって載置台周りが掃除できず、物品の下の設置面を十分に掃除することができない虞があった。
【０００６】
そこで、この考案は、キャスタを載置した後で物品の下の設置面の掃除が行い易い載置台を提供することを課題としている。
【課題を解決するための手段】
【０００７】
かかる課題を達成するために、請求項１に記載の考案は、キャスタにより移動可能にされたキャスタ付物品の前記キャスタを載置する載置台であって、前記キャスタを載置する縦断面略台形状の載置部と、前記載置部に隣接して前記キャスタを前記載置部に向けて移動させる傾斜面を有するキャスタ移動部とを有しており、前記載置部と前記キャスタ移動部とが着脱自在に構成されている載置台としたことを特徴とする。
【０００８】
また、請求項２に記載の考案は、請求項１に記載の構成に加え、前記載置部に設けられた第１係合部と前記キャスタ移動部に設けられた第２係合部とを係合することで前記載置部に前記キャスタ移動部を取り付けるように構成されており、前記第１係合部と前記第２係合部とは、嵌め込みにより係合するように構成されている載置台としたことを特徴とする。
【０００９】
また請求項３に記載の考案は、請求項１又は２に記載の構成に加え、前記載置部の前記底面及び前記キャスタ移動部の前記底面には、滑り止め部が設けられている載置台としたことを特徴とする。
【００１０】
また、請求項４に記載の考案は、請求項１乃至３の何れか１項に記載の構成に加え、前記載置部の上面には、前記キャスタ移動部側に、周囲から中央に向けて落ち込む段差部を有しており、前記キャスタ移動部側以外の周囲に、前記段差部の上段より上方に突出した壁部を有している載置台としたことを特徴とする。
【００１１】
また、請求項５に記載の考案は、請求項１乃至４の何れか１項に記載の構成に加え、前記キャスタ移動部の内部は、上面から前記底面に掛けて形成されたリブを有するように構成されている載置台としたことを特徴とする。
【考案の効果】
【００１２】
請求項１に記載の考案によれば、載置部とキャスタ移動部とが着脱自在に構成されているため、キャスタを載置部に載置後にキャスタ移動部を取り外すことができる。そのため、掃除ができるように載置台の高さが高くなって、その分だけキャスタを移動させるキャスタ移動部が長くなっても、物品の下の設置面を掃除する際に、邪魔になるキャスタ移動部がない状態にでき、掃除が行い易くなると共に、十分な掃除を行うことができるものである。
【００１３】
また、請求項２に記載の考案によれば、第１係合部と第２係合部とを嵌め込みにより係合することで、載置部にキャスタ移動部を取り付けられるように構成されているため、キャスタを載置部に載置後に、載置部からキャスタ移動部を取り外すのを簡単に行うことができる。また、キャスタを載置部に載置した状態から別の位置に移動させる際に、載置部にキャスタ移動部を取り付けるのを簡単に行うことができる。
【００１４】
また、請求項３に記載の考案によれば、キャスタ移動部の底面に滑り止め部が設けられているため、キャスタ移動時には主にこの滑り止め部で、キャスタの移動に伴ってキャスタ移動部も移動しようとすることを防止することができ、これにより、キャスタを確実に載置部まで移動させることができる。また、載置部の底面に滑り止め部が設けられているため、キャスタを載置後に振動が生じても一旦配置した載置台が移動してしまうことなく、確実にキャスタを載置して物品を保持することができる。
【００１５】
また、請求項４に記載の考案によれば、載置部の上面の周囲には、キャスタ移動部側に、中央に向けて落ち込む段差部を有し、キャスタ移動部側以外に、段差部の上段より上方に突出した壁部を有しているため、載置部にキャスタが移動してきて載置された状態で、キャスタを確実に載置部内に安定して保持することができる。
【００１６】
また、請求項５に記載の考案によれば、キャスタ移動部の内部が、上面から底面に掛けて形成されたリブを有しているため、リブ同士の間に空間を形成して軽くて着脱し易くすることができ、かつ、当該リブで物品を載せても耐えられる剛性を備えた状態を保つことができる。
【図面の簡単な説明】
【００１７】
【図１】この考案の実施の形態に係る載置台を示す斜視図である。
【図２】同実施の形態に係る載置台を示す側面図である。
【図３】同実施の形態に係る載置台を示す底面図である。
【図４】同実施の形態に係る載置台における図１のＡ−Ａ断面図である。
【図５】同実施の形態に係る載置台において載置部からキャスタ移動部を取り外した状態を示す斜視図である。
【図６】同実施の形態に係る載置台において載置部からキャスタ移動部を取り外した状態を示す断面図である。
【図７】同実施の形態に係る載置台において後側キャスタがキャスタ移動部を移動中の状態を示す側面図である。
【図８】同実施の形態に係る載置台において後側キャスタが載置部のキャスタ保持部に保持された状態を示す側面図である。
【図９】同実施の形態に係る載置台において後側キャスタがキャスタ保持部に保持された状態で載置部からキャスタ移動部を取り外した状態を示す側面図である。
【図１０】同実施の形態に係る載置台に載せるキャスタを有する冷蔵庫の底面図である。
【考案を実施するための形態】
【００１８】
以下、この考案の実施の形態について、図１〜図１０を参照して詳細に説明する。
【００１９】
この実施の形態の載置台１０は、図１０に示す冷蔵庫１のようなキャスタ５，６により移動可能にされたキャスタ付物品をかさ上げして、図８，図９に示すように、冷蔵庫１の底面２と冷蔵庫１の設置面３との間に隙間４を設けることで、冷蔵庫１の下に掃除機のノズル又は掃除用ワイパー等の掃除用具を挿入可能として、当該位置の掃除を可能とするものである。
【００２０】
まず、この実施の形態のキャスタ付き物品としての冷蔵庫１について説明する。この冷蔵庫１は、図１０に示すように、２つの前側キャスタ５と、２つの後側キャスタ６と、前側キャスタ５の前側に配置された２つの高さ調節脚７を有するものであり、持ち上げて運ぶのが困難なほどの重量物である。そのため、前後４つのキャスタ５，６で移動させ、所定の設置場所で高さ調節脚７を下方に突出させて前側キャスタ５を持ち上げて移動不可能にして設置するようになっている。
【００２１】
次に、この実施の形態の載置台１０について説明する。この載置台１０は、図１０に示すように、冷蔵庫１の底面２の後側に２つ取り付けられた後側キャスタ６を１つずつ載置するように構成されたものである。また、図１０に示すように、冷蔵庫１の前側に２つ取り付けられた前側キャスタ５を載置する別の載置台１００を有している。そして、後側の載置台１０と前側の載置台１００に、キャスタ５，６を載置することで、冷蔵庫１を所定の高さまでかさ上げして、冷蔵庫１の底面２と冷蔵庫１の設置面３との間に隙間４が形成されるようになっている。なお、前側キャスタ５を載置する載置台１００（図１０参照）については、後述する。
【００２２】
前記した載置台１０は、図１に示すように、載置部２０と、当該載置部２０に隣接して配置されたキャスタ移動部３０とを有しており、図５に示すように、載置部２０とキャスタ移動部３０とが着脱自在の別体で構成されている。
【００２３】
このうち、載置部２０は、図１，図２，図８，図９に示すように、後側キャスタ６を載置して保持する部位であり、プラスチック，シリコン，ゴム等の所定の剛性を有する部材で構成されており、縦断面略台形状（ここでは特に、略長方形状となっている）に形成されている。
【００２４】
また、この載置部２０は平面視略長方形状に形成されており、その上面２０ａの後述するキャスタ移動部３０側には、周囲から中央に向けて落ち込む段差部２７を有しており、段差部２７の下段２７ｂ側である中央部分が、略水平面からなるキャスタ保持部２１となっている。また、図１，図４，図５に示すように、載置部２０の上面２０ａにおけるキャスタ移動部３０側以外の周囲には、キャスタ保持部２１及び段差部２７の上段２７ａより上方に突出して高さを高くした壁部２２となっている。このように、載置部２０の中央部分のキャスタ保持部２１の周囲に、上方に位置する段差部２７と壁部２２を有しているため、キャスタ保持部２１に保持された後側キャスタ６が容易に段差部２７や壁部２２を乗り越えて載置部２０から脱落することがないように構成されている。
【００２５】
また、図３〜図６に示すように、載置部２０におけるキャスタ移動部３０との境界の底面２０ｂ付近には、第１係合部２６が設けられている。この第１係合部２６は、後述するキャスタ移動部３０の第２係合部３６と嵌め込みで係合するものであり、載置部２０のキャスタ移動部３０との境界の側面から側方に突出しており、先端側が上方に鈎状に曲がった形に形成されている。
【００２６】
また、載置部２０の底面２０ｂには、図２，図３に示すように、摩擦係数の高い所定の材質（例えば、軟質のシリコンゴム，エラストマ等）及び形状に構成された滑り止め部２５が設けられている。ここでは、図３に示すように、載置部２０の底面２０ｂ全体に滑り止め部２５が設けられている。さらに、この滑り止め部２５は、振動を吸収する振動防止効果を有する材質となっている。また、図４，図６に示すように、載置部２０の内部は、上面２０ａから底面２０ｂに掛けて格子状のリブ２３が形成されており、当該リブ２３を有することによって、リブ２３同士の間に空間部２４が形成されている。そして、この格子状のリブ２３により載置部２０の剛性を保持するように構成されている。
【００２７】
一方、キャスタ移動部３０は、図７に示すように、載置部２０に隣接して後側キャスタ６を載置部２０に向けて移動させるスロープとなる部位であり、キャスタ移動部３０の上面が傾斜面３０ａとなっており、当該傾斜面３０ａと載置部２０の上面２０ａとが連続している。これにより、後側キャスタ６が、設置面３からキャスタ移動部３０の傾斜面３０ａ上を通って、斜め上方に移動していき、載置部２０の上面２０ａのキャスタ保持部２１に到達して、保持されるように構成されている。なお、ここでは、キャスタ移動部３０の傾斜面３０ａの載置部２０側の端部が、載置部２０の上面２０ａの段差部２７の上段２７ａと滑らかに繋がるように構成されている。
【００２８】
また、図１，図４〜図６に示すように、キャスタ移動部３０における傾斜面３０ａの載置部２０に向かう方向の両脇は当該傾斜面３０ａより高さを高くした壁部３２となっており、キャスタ移動部３０を移動する後側キャスタ６が脇に逸れてキャスタ移動部３０から脱落することがないように構成されている。なお、ここでは、キャスタ移動部３０の壁部３２が傾斜面３０ａから突出する高さと載置部２０の壁部２２が段差部２７の上段２７ａから突出する高さとが同じになるように形成されており、これによりキャスタ移動部３０の壁部３２と載置部２０の壁部２２が連続した壁部に構成されている。
【００２９】
また、キャスタ移動部３０は、図１，図２，図４〜図６に示すように、その先端部であるキャスタ移動先端部３１が先細形状となり、設置面３と滑らかに繋がるように構成されている。また、キャスタ移動部３０の底面３０ｂには、摩擦係数の高い所定の材質（例えば、軟質のシリコンゴム，エラストマ等）及び形状に構成された滑り止め部（図示省略）が設けられている。また、図３，図４，図６に示すように、キャスタ移動部３０の内部は、傾斜面３０ａから底面３０ｂに掛けて格子状のリブ３３が形成されており、当該リブ３３を有することによって、リブ３３同士の間に空間部３４が形成されている。そして、この格子状のリブ３３によりキャスタ移動部３０の剛性を保持するように構成されている。
【００３０】
また、図４，図６に示すように、キャスタ移動部３０における載置部２０との境界の底面３０ｂ付近には、第２係合部３６が設けられている。この第２係合部３６は、前記した載置部２０の第１係合部２６と嵌め込みで係合するものであり、キャスタ移動部３０の載置部２０との境界の側面に形成された凹部からなっており、鈎状の第１係合部２６が丁度嵌め込まれる形状に形成されている。
【００３１】
そして、上方に向けた鈎状に形成された第１係合部２６を第２係合部３６に嵌め込むことで、載置部２０に対してキャスタ移動部３０を略水平方向（載置部２０とキャスタ移動部３０を結ぶ方向）に移動させようとしても当該係合部２６，３６の係合により移動しないようになっている。これに対し、載置部２０に対してキャスタ移動部３０を略垂直方向（上下方向）に移動させようとすると、上方に向けた鈎状の第１係合部２６から第２係合部３６が丁度抜ける角度となっているため、載置部２０からキャスタ移動部３０を取り外すことができるようになっている。
【００３２】
なお、ここでは、図６に示すように、載置部２０の第１係合部２６に対して、垂直方向より傾斜した斜め方向（図６では、白抜き矢印で示す左上方向）にキャスタ移動部３０を移動させることで、第２係合部３６が外れるようになっている。また、載置部２０からキャスタ移動部３０を取り外す際に、キャスタ移動部３０を、その傾斜面３０ａが冷蔵庫１の底面２に衝突しない程度の僅かな量だけ持ち上げれば、第１係合部２６と第２係合部３６の嵌め込みが解除できるように構成されている。
【００３３】
次に、この実施の形態の載置台１０の作用について説明する。
【００３４】
まず、冷蔵庫１の設置場所における後側キャスタ６が位置する箇所（ここでは２箇所）にキャスタ移動部３０が前側、載置部２０が後側になるように載置台１０を配置する。次に、キャスタ５，６を用いて冷蔵庫１を前側から設置場所に移動させ、図７に示すように、冷蔵庫１の前側を持ち上げながら載置台１０に対して後側キャスタ６を、キャスタ移動先端部３１からキャスタ移動部３０の傾斜面３０ａに載せていく。
【００３５】
そして、図７に示すように、冷蔵庫１の前側を持ち上げながら、後側キャスタ６を、そのままキャスタ移動部３０の傾斜面３０ａ上を移動させていき、図８に示すように、載置部２０に到達してキャスタ保持部２１まで移動させて保持する。それから、２つの前側キャスタ５をさらに持ち上げ、図１０に示すように、その下に略直方体形状の載置台１００を滑り込ませて前側キャスタ５及び冷蔵庫１の移動を規制する高さ調節脚７を載置台１００に載せ、高さ調節脚７を下方に延ばして前側キャスタ５が動かないようにすることで、冷蔵庫１を設置する。これにより、図８に示すように、冷蔵庫１がかさ上げされて、冷蔵庫１の底面２と冷蔵庫１の設置面３との間に隙間４が形成される。
【００３６】
その後、図６に示すように、後側キャスタ６が載っている載置台１０のキャスタ移動部３０を載置部２０に対して上方に移動させ（ここでは、キャスタ移動部３０を左上方向に僅かに移動させる）図９に示すように、第１係合部２６に嵌め込まれていた第２係合部３６を取り外す。これにより、冷蔵庫１を載置している間は不要となるキャスタ移動部３０を冷蔵庫１の下から排除することができ、冷蔵庫１の底面２と設置面３との間の隙間４における空間部分である間隙Ｋを広げることができる。
【００３７】
一方、冷蔵庫１を別の場所に再度移動させるときには、後側キャスタ６が載っている載置台１０の載置部２０の第１係合部２６に対して、左上方からキャスタ移動部３０の第２係合部３６を下ろして嵌め込み、後側キャスタ６がキャスタ移動部３０の傾斜面３０ａを通過できる状況にする。次に、前側キャスタ５を持ち上げて載置台１００を取り外し、その後、冷蔵庫１の前側を持ち上げながら、後側キャスタ６を前方に移動させることで、後側キャスタ６を載置台１０の載置部２０からキャスタ移動部３０に移動させ、そのままキャスタ移動先端部３１の方向に移動させ、最終的に設置面３にまで移動させることで、載置台１０から後側キャスタ６を取り外す。
【００３８】
以上のように、前記した実施の形態の載置台１０によれば、載置部２０とキャスタ移動部３０とが着脱自在に構成されているため、後側キャスタ６を載置部２０に載置後にキャスタ移動部３０を取り外すことができる。そのため、掃除ができるように載置台１０の高さが高くなって、その分だけ後側キャスタ６を移動させるキャスタ移動部３０が長くなっても、冷蔵庫１の下の設置面３を掃除する際に、邪魔になるキャスタ移動部３０がない状態にでき、掃除が行い易くなると共に、十分な掃除を行うことができるものである。
【００３９】
また、前記した実施の形態の載置台１０によれば、第１係合部２６と第２係合部３６とを嵌め込みにより係合することで、載置部２０にキャスタ移動部３０を取り付けられるように構成されているため、後側キャスタ６を載置部２０に載置後に、載置部２０からキャスタ移動部３０を取り外すのを簡単に行うことができる。また、後側キャスタ６を載置部２０に載置した状態から別の位置に移動させる際に、載置部２０にキャスタ移動部３０を取り付けるのを簡単に行うことができる。
【００４０】
また、前記した実施の形態の載置台１０によれば、キャスタ移動部３０の底面３０ｂに滑り止め部（図示省略）が設けられているため、後側キャスタ６の移動時には主にこの滑り止め部で、後側キャスタ６の移動に伴ってキャスタ移動部３０も移動しようとすることを防止することができ、これにより、後側キャスタ６を確実に載置部２０まで移動させることができる。また、載置部２０の底面２０ｂに滑り止め部２５が設けられているため、後側キャスタ６を載置後に振動が生じても一旦配置した載置台１０が移動してしまうことなく、確実に後側キャスタ６を載置して冷蔵庫１を保持することができる。
【００４１】
また、前記した実施の形態の載置台１０によれば、載置部２０の上面２０ａの周囲には、キャスタ移動部３０側に、中央に向けて落ち込む段差部２７を有し、キャスタ移動部３０側以外に、段差部２７の上段２７ａより上方に突出した壁部２２を有しているため、載置部２０に後側キャスタ６が移動してきて載置された状態で、後側キャスタ６を確実に載置部２０内に安定して保持することができる。
【００４２】
また、前記した実施の形態の載置台１０によれば、キャスタ移動部３０の内部が、傾斜面３０ａから底面３０ｂに掛けてリブ３３を有しているため、リブ３３同士の間に空間部３４を形成して軽くて着脱し易くすることができ、かつ、当該リブ３３で冷蔵庫１を載せても耐えられる剛性を備えた状態を保つことができる。
【００４３】
なお、以上説明した実施の形態は、本考案の理解を容易にするために記載されたものであって、本考案を限定するために記載されたものではない。
【００４４】
例えば、前記した実施の形態では、第１係合部２６と第２係合部３６とが嵌め込みで係合するようになっており、その嵌め込み方向が略上下方向となっていたが、これに限るものではなく、略上下方向以外の方向に移動させることで第１係合部に第２係合部を嵌め込んで係合したり双方の嵌め込みを解除したりするようになっていても良い。例えば、載置部に対してキャスタ移動部を、水平方向における載置部とキャスタ移動部とを結ぶ方向と直交する方向（載置部とキャスタ移動部の境界に沿った方向）にずらすことで、嵌め込みによる係合を解除できるようになっていても良い。さらに、第１係合部と第２係合部の係合が嵌め込み以外（例えば、キャスタ移動部から突出する突出部を載置部の孔部に差し込んで係合させており、突出部を引き抜くことで係合を解除する構成、ラッチによる係合、ネジ止めによる係合等）で行われるようになっていても良い。
【００４５】
また、前記した実施の形態では、キャスタ移動部３０の傾斜面３０ａと載置部２０のキャスタ保持部２１とが段差部２７を介して繋がっており、載置部２０の壁部２２とキャスタ移動部３０の壁部３２がこれらより突出して同じ高さに形成されていたが、これに限るものではない。例えば、キャスタ移動部の上面と載置部のキャスタ保持部とが完全に段差なく繋がっていても良いし、壁部２２，３２が異なる高さに形成されていても良い。また、場合によっては壁部２２，３２の何れか又は双方が形成されていない構成であっても良い。
【００４６】
また、載置部の大きさや形状、厚さ、内部構造等、キャスタ移動部の大きさや形状、傾斜角度、内部構造等については、物品の大きさや形状や設置状態等に応じて、適宜決定するようになっていれば良い。
【００４７】
また、前記した実施の形態では、冷蔵庫１の後側キャスタ６を載置するための載置台１０として本考案を用いていたが、これに限るものではなく、冷蔵庫の前側キャスタを載置する載置台として使用しても良い。このように前側の載置台として使用する場合には、載置部からキャスタ移動部を取り外したときに、残った第１係合部が突出したり目立ったりしないような構成となっていることが好ましい。
【００４８】
また、前記した実施の形態では、冷蔵庫１を載置するための載置台１０（さらには冷蔵庫１の後側キャスタ６を載置するための載置台１０）として本考案を用いていたが、これに限るものではなく、他の物品を載置するための載置台として本考案の載置台を用いるようになっていても良い。特に、比較的重量のある物品や、物品の底面と床面との間の隙間が少ないものに、好適に用いられるものである。
【符号の説明】
【００４９】
１  冷蔵庫（キャスタ付物品）
２  底面
３  設置面
４  隙間
５  前側キャスタ（キャスタ）
６  後側キャスタ（キャスタ）
７  高さ調節脚
１０  載置台
２０  載置部
２０ａ  上面
２０ｂ  底面
２１  キャスタ保持部
２２  壁部
２３  リブ
２４  空間部
２５  滑り止め部
２６  第１係合部
２７  段差部
２７ａ  上段
２７ｂ  下段
３０  キャスタ移動部
３０ａ  傾斜面（上面）
３０ｂ  底面
３１  キャスタ移動先端部
３２  壁部
３３  リブ
３４  空間部
３６  第２係合部
Ｋ  間隙
【図１】
0003205499.tif 000003
【図２】
0003205499.tif 000004
【図３】
0003205499.tif 000005
【図４】
0003205499.tif 000006
【図５】
0003205499.tif 000007
【図６】
0003205499.tif 000008
【図７】
0003205499.tif 000009
【図８】
0003205499.tif 000010
【図９】
0003205499.tif 000011
【図１０】
0003205499.tif 000012